(57)【要約】      （修正有）【課題】商店における商品の盗難を防止するパッケージ入り商品を提供する。【解決手段】商品のパッケージ５に、その商品の本来の販売店を識別可能な識別子６を、自然光の下では見えない蛍光インクにより丸型のスタンプで印字する。その商品が盗難され他の店舗で販売された場合、パッケージに紫外線を照射すれば、商品の本来の販売店を識別可能な識別子６が可視化され、当該販売店と実際の販売店とが異なることが分かり、当該商品が盗品であり転売品であることが分かる。この盗難対策により盗難自体の防止につながる。また、丸型のスタンプを用いることにより、角形のスタンプに比べ、撓みやすい商品パッケージへの押印のミスを低減でき、また、同じ大きさの角形のスタンプに比べ、押印面積が低減されることで、押印に要するインクの量を低減することが可能となり、押印に要するインクのコストを低減することが可能となる。【選択図】図２
0003183867.tif 000002
【実用新案登録請求の範囲】
【請求項１】
商品のパッケージに、その商品の本来の販売店を識別可能な識別子を、自然光の下では見えない蛍光インクにより、丸型のスタンプで印字した、盗難防止措置を施した商品パッケージ。
【請求項２】
請求項１に記載の商品パッケージを備えたパッケージ入り商品。
【考案の詳細な説明】
【技術分野】
【０００１】
本考案は、商店に配置された商品の盗難防止に関する。
【背景技術】
【０００２】
商品の盗難を防止するために、小売店では幾つかの対策を実施している。例えば、商品のパッケージだけを陳列し、その空のパッケージを会計に持っていくと、会計で商品に代えてくれる方法がある。
【０００３】
また、商品のパッケージにタグを添付し、このタグを電磁的に検知し、商品の不正な持ち出しを検出する方法がある（例えば、特許文献１）。
【０００４】
しかし、これらの対策にもかかわらず、小売店における商品の大量盗難が後を絶たない。上記のような対策があっても、会計所や店舗倉庫から商品を大胆に持ち去る犯行がある。また、タグの電磁気を無効化して持ち去る手口もある。盗難犯はグループで行動し、巧妙に大量盗難を実行する。特に、医薬品の大量盗難が問題となっている。
【先行技術文献】
【特許文献】
【０００５】
【特許文献１】特開２０００−２５９９５８号公報
【考案の概要】
【考案が解決しようとする課題】
【０００６】
本考案は、上記のような商店における商品の盗難を防止することを課題とする。
【課題を解決するための手段】
【０００７】
この課題を解決するため、本考案では、商品のパッケージに、その商品の本来の販売店を識別可能な識別子を、自然光の下では見えない蛍光インクにより、丸型のスタンプで印字する。
その商品が盗難され他の店舗で販売された場合、パッケージに紫外線を照射すれば、その商品の本来の販売店を識別可能な識別子が可視化され、当該販売店と実際の販売店とが異なることが分かり、当該商品が盗品であり転売品であることが分かる。この盗難対策により盗難自体の防止につながる。
また、丸型のスタンプを用いることにより、角形のスタンプに比べ、撓みやすい商品パッケージへの押印のミスを低減することができ、また、同じ大きさの角形のスタンプに比べ、押印面積が低減されることにより、押印に要するインクの量を低減することが可能となり、押印に要するインクのコストを低減することが可能となる。
【考案の効果】
【０００８】
本考案によれば、商店における商品の盗難を防止することができる。
【図面の簡単な説明】
【０００９】
【図１】商品パッケージに蛍光インクでスタンプを押す説明図。
【図２】商品パッケージに押されたスタンプを読み取る説明図。
【考案を実施するための形態】
【００１０】
以下、本考案の実施形態を説明する。図１（ａ）に示すスタンプ１の印字面２は、図１（ｃ）に示すように円形であり、印字面２の表面は、略球面状に若干ふくらんでいる。この印字面２には、円形の中央領域２ａと、この中央領域２ａを囲むドーナツ型の外周領域２ｂとが設けられ、当該中央領域２ａ及び外周領域２ｂに、それぞれ異なる盗難防止用の情報が刻印されている。
【００１１】
一方、スタンプ台３のインク面４には、透明な蛍光インクが浸透している。この蛍光インクは、自然光の下では見えず、ＵＶランプ（ブラックライト）を照射することで蛍光し見えるようになるインクである。蛍光インクの蛍光時の色は、背景となる商品パッケージの色に応じて見やすさが異なるので、商品パッケージの色との関係で、盗難防止用の情報６を読み取りやすい色を蛍光時に発色する蛍光インクを採用するとよい。また、印字した蛍光インクが落ちにくいように、蛍光インクは油性が好ましい。
【００１２】
スタンプ１の印字面２をスタンプ台３のインク面４に押圧し、印字面２の全体に蛍光インクを付着させる。そして、図１（ｂ）に示すように、スタンプ１の印字面２を商品（医薬品）のパッケージ５に押圧し、パッケージの表面に蛍光インクにより盗難防止用の情報を印字する。
このとき、押圧によってパッケージ５の表面に撓みを生じるが、前述のように略球面状に若干ふくらんだ円形の印字面２を、若干転がすように押印することによって、印字面２の全体のインクをパッケージ５の表面に付着させることができ、押印のミスを軽減することができる。
【００１３】
これにより、図２（ａ）に点線で示すように、パッケージ５の表面に盗難防止用の情報６が印字される。この印字は自然光の下では見ることができない。一方、図２（ｂ）に示すように紫外線照射装置７としてのＵＶランプ（ブラックライト）を照射すると、盗難防止用の情報６が蛍光し見えるようになる。
【００１４】  本実施形態において、盗難防止用の情報６は、店舗ごとに異なる情報となり、中央領域には、当該店舗が所在する地方自治体の名称「東京」と、当該店舗の識別名（公序良俗違反につき、不掲載）と、スタンプ１の個体毎に固有の通し番号（スタンプ個体毎のシリアルナンバー）「ＤＳ９９９９」とを含み、外周領域には、当該店舗のブランド名（公序良俗違反につき、不掲載）を含む。スタンプ個体毎の通し番号は、当該スタンプを使用する店舗の詳細情報（所在地、連絡先、店舗の識別子など）に関連付けられてインターネット上のデータベースに登録されており、端末から当該データベースに問い合わせることによって、そのスタンプを使用している店舗の詳細情報を端末に取得して閲覧できるようになっている。
【００１５】
これにより、盗難防止用の情報６から、その商品を販売する本来の店舗を特定できるので、その商品が盗難され他の店舗で販売された場合、パッケージにＵＶランプを照射すれば、パッケージに印字されている情報に対応する店舗と実際の販売店舗とが異なることから、当該商品が盗品であり転売品であることがわかる。この盗難対策により盗難自体の防止につながる。また、盗難防止用の情報６は、自然光の下では見えないので、消費者が店頭で商品を見ても、商品パッケージの本来の外観が損なわれることはない。
【００１６】
また、上述したように、丸型のスタンプを用いることにより、角形のスタンプに比べ、撓みやすいパッケージへの押印において押印ミスを低減することが可能となり、また、角形のスタンプに比べ、印字面積を低減し、１回のインク使用料を低減することでインクコストの低減を図ることができる。
【００１７】
ここで、本考案は上記実施形態に限られない。例えば、盗難防止用の情報６には、その商品を販売する本来の店舗を特定できる情報が含まれていればよい。盗難防止用情報は、必ずしも印字面の中央領域と外周領域とに分けて表示されていなくてもよい。スタンプの印字面は、必ずしも球面状にふくらんでいなくてもよい。また、本考案は医薬品に限らず種々の商品パッケージに採用することができる。
【符号の説明】
【００１８】
１  スタンプ
２  スタンプの印字面
２ａ  中央領域
２ｂ  外周領域
３  スタンプ台
４  スタンプ台のインク面
５  商品のパッケージ
６  パッケージに印字された盗難防止用の情報
７  ＵＶランプ（紫外線照射装置）
0003183867.tif 000003
【手続補正書】
【提出日】平成25年3月27日(2013.3.27)
【手続補正１】
【補正対象書類名】図面
【補正対象項目名】全図
【補正方法】変更
【補正の内容】
【図１】
0003183867.tif 000004
【図２】
0003183867.tif 000005
【手続補正２】
【補正対象書類名】明細書
【補正対象項目名】００１４
【補正方法】変更
【補正の内容】
【００１４】
本実施形態において、盗難防止用の情報６は、店舗ごとに異なる情報となり、中央領域には、当該店舗が所在する地方自治体の名称「東京」と、当該店舗の識別名「△△△店」と、スタンプ１の個体毎に固有の通し番号（スタンプ個体毎のシリアルナンバー）「ＤＳ９９９９」とを含み、外周領域には、当該店舗のブランド名「クスリの○○○○」を含む。スタンプ個体毎の通し番号は、当該スタンプを使用する店舗の詳細情報（所在地、連絡先、店舗の識別子など）に関連付けられてインターネット上のデータベースに登録されており、端末から当該データベースに問い合わせることによって、そのスタンプを使用している店舗の詳細情報を端末に取得して閲覧できるようになっている。
【手続補正３】
【補正対象書類名】実用新案登録請求の範囲
【補正対象項目名】全文
【補正方法】変更
【補正の内容】
【実用新案登録請求の範囲】
【請求項１】
商品と、当該商品を内包するパッケージとを有し、当該商品のパッケージに、その商品の本来の販売店を識別可能な識別子を、自然光の下では見えない蛍光インクにより、丸型のスタンプで印字した、盗難防止措置を施したパッケージ入り商品。